(57)【要約】【課題】各種情報の入力キーボードを架台に対して任意な方向に引き出しと、入力後架台内に収納できる医療用架台装置が求められている。【解決手段】各種医療機器を保持載置する架台１１に、入力キーボードを有するトレー１７に一端が取付固定された第１の固定杆３２と、架台１１に一端が固定された第２の固定杆３４と、第１の固定杆３２の他端と第２の固定杆３４の他端それぞれに端部が回動自在に軸止された回動杆３３とからなる引き出し収納手段を有する医療用架台装置。【選択図】      図３
2004223153.tif 000002
【特許請求の範囲】
【請求項１】
各種医療機器を保持載置する架台手段と、
この架台手段に対して任意の方向に設置可能で、診断治療する各種情報を入力する入力装置を載置する入力装置保持手段と、
を具備することを特徴とした医療用架台装置。
【請求項２】
前記入力装置保持手段は、前記架台手段に載置される各種医療機器の載置領域内に収納可能であることを特徴とした請求項１記載の医療用架台装置。
【請求項３】
前記入力装置保持手段は、各種情報入力部を一端に有する第１の固定杆と、前記架台手段に一端が固定された第２の固定杆と、前記第１の固定杆の他端と第２の固定杆の他端それぞれに端部が回動自在に軸止された回動杆とからなることを特徴とした請求項１記載の医療用架台装置。
【請求項４】
前記入力手段の第２の固定杆と回動杆には、前記情報入力部を位置決め規制する位置決めストッパーを有することを特徴とした請求項３記載の医療用架台装置。
【発明の詳細な説明】
【０００１】
【発明の属する技術分野】
本発明は、各種診断治療を行う医療器具を保持すると共に、その医療器具を駆動制御する駆動制御機器、光源機器、診断治療情報を表示するモニター機器、診断治療情報を記録する記録機器、及び補助治療機器等の各種医療機器を載置する複数の棚を有する医療用架台装置に関する。
【０００２】
【従来の技術】
従来、医療分野で患部の診断や治療に内視鏡装置や超音波診断装置等が用いられている。
【０００３】
さらに、内視鏡装置は、高画素数の固体撮像素子の開発により、体腔内に挿入される挿入部先端に固体撮像素子を内蔵させ、その固体撮像素子で撮像生成された撮像画像を基に体腔内患部の診断や治療を行う電子内視鏡装置が主流となっている。
【０００４】
この電子内視鏡装置は、前述した挿入部先端に固体撮像素子を内蔵させた内視鏡と、この固体撮像素子を駆動制御すると共に、撮像生成された撮像信号を所定の信号処理を行いテレビ映像信号を生成する内視鏡駆動制御機器であるビデオプロセッサ、前記内視鏡挿入部先端から観察部位に投射させる照明光を生成して内視鏡に供給する光源機器、前記ビデオプロセッサで生成されたテレビ映像信号を基に撮像映像を表示するモニター、前記ビデオプロセッサで生成されたテレビ映像信号を記録する記録機器、及び内視鏡装置に設けられた処置具チャンネルを介して患部の処置を行う処置具を駆動制御する処置具制御機器等から構成されている。
【０００５】
この電子内視鏡装置は、内視鏡を保持する内視鏡用ハンガーや、前記ビデオプロセッサ、光源機器、モニター、及び処置具制御機器等を載置する複数段の棚板を有する架台に収納載置され、且つ、この架台にキャスターを設けることで、自由に診断治療場所を移動できるようになっている。
【０００６】
また、前記電子内視鏡装置は、診断治療する被検体である患者の氏名、年齢、性別、及び診断実施年月日等の被検体情報（以下、患者情報と称する）や前記ビデオプロセッサなどの各種機器の設定情報等を入力するための入力用キーボードが設けられ、この入力用キーボードから入力された患者情報は、前記モニターに表示されると共に、前記記録機器に内視鏡で撮像生成されたテレビ映像信号と共に記録されるようになっている。
【０００７】
前記入力用キーボードやモニターは、内視鏡操作者が立位操作、又は座位操作に応じて、前記入力用キーボードの操作がしやすく、モニターの表示される画面が見やすい位置に、入力用キーボードとモニターを上下移動可能な医療用架台装置が提案されている（例えば、特許文献１乃至３参照）。
【０００８】
【特許文献１】
実開平４−１０８５０１号公報。
【０００９】
【特許文献２】
実用新案登録番号第２５５１３９８号公報。
【００１０】
【特許文献３】
特開平６−１２５９００号公報。
【００１１】
【発明が解決しようとする課題】
前記特許文献１乃至３に提案されている架台は、架台に載置及び設けられているキーボードとモニター装置を内視鏡操作者の操作姿勢に応じて、上下方向に移動可能なものである。
【００１２】
しかし、前記入力用キーボードは、内視鏡診断治療行為に先立って患者情報入力する際に用いるもので、患者情報入力後は、内視鏡操作の妨げとならない位置に収納可能であることが望まれている。
【００１３】
このため、電子内視鏡装置を構成する各種医療機器を載置する複数の棚板のある棚板の下面側に入力用キーボードを配置させ、その入力用キーボードを棚板の下面から引き出し収納可能とした医療用架台装置も用いられている。
【００１４】
この架台に設けられた患者情報の入力用キーボードは、架台のある棚の下面側に収納配置して、患者情報の入力時には、前記架台の棚の下面側に収納配置されている入力用キーボードを架台の正面方向である一方向のみに引き出せるようになっている。
【００１５】
一方、電子内視鏡装置で診断治療する内視鏡診断室の大きさや形状、及び患者用寝台と電子内視鏡装置の設置位置関係は多種多様で、前記入力用キーボードが一方向のみしか引き出せない場合は、電子内視鏡装置の架台を内視鏡診断場所から移動させて、前記入力用キーボードを用いて患者情報を入力し、再度所定の診断場所に設置し直したり、又は不自然な姿勢で患者情報の入力を行うことがある。
【００１６】
このために、前記入力用キーボードを架台の正面方向と一方の側面方向への２方向に引き出し収納可能とした架台も提供されているが、内視鏡診断室の大きさと形状、及び患者用寝台と電子内視鏡装置の設置位置関係によって、前記２方向のいずれの方向に前記入力用キーボードを引き出しても患者情報の入力がしづらい場合が生じている。
【００１７】
さらに、電子内視鏡装置を搭載した架台を内視鏡診断室以外の部屋に移動させて内視鏡診断する際は、特に架台の設置場所が制約されるために、前述の患者情報を入力する入力用キーボードの引き出し方向が２方向であっても入力しづらくなる場合が多々発生している。
【００１８】
本発明は、上記事情に鑑みなされたもので、患者情報を入力する際には、架台に対して任意な方向に入力用キーボードを引き出すことができ、患者情報入力後は、入力用キーボードを架台内に収納させ、内視鏡診断治療の妨げにならない医療用架台装置を提供することを目的としている。
【００１９】
【課題を解決するための手段】
本発明の医療用架台装置は、各種医療機器を保持載置する架台手段と、この架台手段に対して任意の方向に設置可能で、診断治療する各種情報を入力する入力装置を載置する入力装置保持手段と、を具備することを特徴としている。
【００２０】
本発明の医療用架台装置の前記入力装置保持手段は、前記架台手段に載置される各種医療機器の載置領域内に収納可能であることを特徴としている。
【００２１】
本発明の医療用架台装置の前記入力装置保持手段は、各種情報入力部を一端に有する第１の固定杆と、前記架台手段に一端が固定された第２の固定杆と、前記第１の固定杆の他端と第２の固定杆の他端それぞれに端部が回動自在に軸止された回動杆とからなる引き出し収納手段を有することを特徴としている。
【００２２】
また、本発明の医療用架台装置の前記入力装置保持手段の第２の固定杆と回動杆には、前記各種情報入力部を位置決め規制する位置決めストッパーを有することを特徴としている。
【００２３】
本発明の医療用架台装置は、内視鏡診断時にいかなる条件下に設置されても、患者情報等の入力操作がしやすい任意の方向で、且つ入力操作可能な位置まで入力手段であるキーボードやタッチパネルボード等を引き出し設置することが可能となり、患者情報等の入力後は、内視鏡診断操作の妨げとならないように、前記架台内の領域に収納させることができ、内視鏡診断時の患者情報の入力操作と内視鏡診断操作の効率向上が可能となった。
【００２４】
【発明の実施の形態】
以下、図面を参照して本発明の実施の形態について詳細に説明する。図１は本発明に係る医療用架台装置の一実施形態の全体構成を示す斜視図、図２は本発明に係る医療用架台装置の一実施形態の入力端末トレーの引出位置を説明する斜視図、図３は本発明に係る医療用架台装置の一実施形態の入力端末トレーの引き出し収納機能を説明する斜視図、図４は本発明に係る医療用架台装置の一実施形態の入力端末トレーの引き出し収納操作を説明する平面図である。
【００２５】
最初に、図１を用いて本発明に係る医療用架台装置の全体構成を説明する。架台１１は、断面形状が略Ｌ状の２本の支柱１２ａ，１２ｂの上端に上面棚板１３、下端に底面棚板１４とがそれぞれ取付固定されている。上面棚板１３と底面棚板１４の後面側の２辺が前記支柱１２ａ，１２ｂのＬ字部分でそれぞれ取付固定されている。つまり、上面棚板１３と底面棚板１４の前面側は、前面と、側面の略２／３位の部分は何ら支柱もなく物品の収納載置が可能となっている。
【００２６】
なお、底面棚板１４の下面の４つの角部分には、キャスター２４ａ〜２４ｄが設けられて、架台１１が移動可能となっている。
【００２７】
また、前記上面棚板１３の前面の２つの角部分には、把手２２ａ，２２ｂが設けられている。つまり、この把手２２ａ，２２ｂを把持し、キャスター２４ａ〜２４ｄにより架台１１が移動可能となっている。
【００２８】
さらに、前記支柱１２ａ，１２ｂの上端の略Ｌ字形状の角部分には、モニター支柱１８と、内視鏡ハンガー支柱２１が装着できる円筒部が一体的に形成されている。
【００２９】
前記モニター支柱１８には、モニター台１９が設けられており、このモニター台１９にモニター２０が載置されるようになっている。
【００３０】
また、前記内視鏡ハンガー支柱２１には、内視鏡ハンガー２５が設けられており、この内視鏡ハンガー２５に図示していない内視鏡が保持されるようになっている。
【００３１】
さらに、前記上面棚板１３の一方の側面には、前記内視鏡ハンガー２５に保持された内視鏡のケーブルコネクタが装着保持されるコネクタホルダー２３ａ，２３ｂが設けられている。
【００３２】
前記上面棚板１３と底面棚板１４との間には、第１中間棚板１５と第２中間棚板１６とがそれぞれ前記支柱１２ａ，１２ｂに取付固定されている。なお、この第１と第２中間棚板１５，１６は、前記支柱１２ａ，１２ｂの任意の位置に取付固定可能となっている。つまり、第１と第２中間棚板１５，１６に載置される機器の高さによって、支柱１２ａ，１２ｂへの取付固定位置が変更可能となっている。
【００３３】
前記上面棚板１３には、内視鏡診断時に用いる各種医薬品やガーゼ等の診断補助部材が載置される。
【００３４】
前記第１中間棚板１５には、図示していない内視鏡に設けられているライトガイドファイバーに照明光を生成供給する光源機器６１と、内視鏡に内蔵されている固体撮像素子を駆動制御すると共に、固体撮像素子で撮像生成された撮像信号を取り込み所定の信号処理を行って前記モニター２０に表示するテレビ映像信号を生成処理するビデオプロセッサ６２が載置されている。
【００３５】
前記第２の中間棚板１６には、前記内視鏡に設けられている処置具挿通チャンネルに挿通させた各種処置具により体腔内患部の検体採取や治療の際に、その処置具を駆動制御させる処置具駆動制御機器６３が載置されている。
【００３６】
また、前記底面棚板１４には、前記第１中間棚板１５に載置されているビデオプロセッサ６２で生成されたテレビ映像信号を記録するビデオカセットレコーダなどの記録機器６４が載置されている。
【００３７】
前記第１中間棚板１５の上方で、前記上面棚板１３の下面側近傍には、入力端末トレー１７が配置されている。この入力端末トレー１７には、内視鏡診断治療を行う患者情報や架台１１に載置されているビデオプロセッサ６２などの各種機器の設定情報を入力するためのキーボード、又はタッチパネル等が載置されている。
【００３８】
この入力端末トレー１７は、前記上面棚板１３の載置領域の下面側に収納可能で、且つ、必要に応じて、前記上面棚板１３の載置領域の外周の任意の位置に引き出し可能となっている。
【００３９】
即ち、図２に実線で示すように、前記入力端末トレー１７は、上面棚板１３の正面方向に引き出し収納が可能で、及び図中点線で示した入力端末トレー１７’のように上面棚板１３の左右側面方向への引き出し収納が可能で、さらに正面方向に引き出し後に左右側面方向へと、左右側面方向から正面方向への回動が可能となっている。
【００４０】
これにより、患者情報を入力する際には、前記上面棚板１３の下面側に収納されている入力端末トレー１７を任意の方向に引き出して、その入力端末トレー１７に設けられているキーボード、又はタッチパネルを用いて患者情報等の入力を行い、入力が終了すると前記入力端末トレー１７を上面端板１３の下面側に収納させるようになっている。
【００４１】
次に、この入力端末トレー１７の収納と任意の位置への引き出しを可能とする駆動機構について図３を用いて説明する。
【００４２】
前記入力端末トレー１７は、略長方形状で、前後端と左右端には、それぞれ側壁１８ａ〜１８ｄ（ただし、側壁１８ｄは図の関係から図示していない）がそれぞれ設けられている。つまり、入力端末トレー１７は、略長方形のお盆のような形状に形成されており、キーボード又はタッチパネルなどの入力機器５０が載置されるようになっている。
【００４３】
この入力端末トレー１７の正面側の側壁１８ａの中央部分には、取っ手１７ａが設置されており、背面側の側壁１８ｃの中央部分には、回動杆固定片３１が形成されている。
【００４４】
この回動杆固定片３１には、第１の固定杆３２の一端３２ａがネジ３５ａ，３５ｂで取付固定されている。
【００４５】
この第１の固定杆３２は、断面が略コの字状の長尺形状に形成されている。この第１の固定杆３２の他端３２ｂは、回動杆３３の一端３３ａとが回転軸３７と摺動スペーサ３７ａで回動自在に軸止されている。
【００４６】
前記回動杆３３は、前記第１の固定杆３２と同様に、断面が略コの字状の長尺形状に形成されている。この回動杆３３の他端３３ｂは、第２の固定杆３４の一端３４ａとが回転軸３９と摺動スペーサ３９ａで回動自在に軸止されている。
【００４７】
前記第２の固定杆３４は、前記第１の固定杆３２と回動杆３３と同様に、断面が略コの字状の長尺形状に形成されている。この第２の固定杆３４の他端３４ｂは、前記支柱１２ａにネジ４５ａ，４５ｂ（ネジ４５ａは図の関係から図示していない）で取付固定されている。
【００４８】
つまり、前記回動杆３３は、第１の固定杆３２に対して、回転軸３７を中心に回動可能であり、前記回動杆３３は、第２の固定杆３４に対して回転軸３９を中心に回動可能となっている。
【００４９】
前記回動杆３３の一端３３ａには、第１のストッパー４０が形成されている。この第１のストッパー４０は、第１の固定杆３２を図中矢印Ａで示す方向に回動した際に、第１の固定杆３２と回動杆３３との回動位置関係を規制停止させるように設けられている。
【００５０】
また、前記回動杆３３の他端３３ｂの回転軸３９の近傍には、第２のストッパー４１が設けられている。この第２のストッパー４１は、丸棒状で、回動杆３３を図中矢印Ｃで示すように第２の固定杆３４側に回動した際に、回動杆３３が第２の固定杆３４との回転位置関係を規制停止させるように設けられている。
【００５１】
さらに、前記第２の固定杆３４の一端３４ａの回転軸３９が設けられた先端には、第３のストッパー４３が設けられている。この第３のストッパー４３は、回動杆３３を図中矢印Ｃで示すように第２の固定杆３４から離れる方向に回動した際に、回動杆３３が第２の固定杆３４との回転位置関係を規制停止させるように設けられている。
【００５２】
つまり、前記入力端末トレー１７に固定された第１の固定杆３２は、回転軸３７を中心に図中矢印Ａ，Ｂで示す方向に回動でき、且つ、回動杆３３は、回転軸３９を中心に図中矢印Ｃで示す方向に回動可能となる。
【００５３】
なお、前記第１の固定杆３２、回動杆３３、及び第２の固定杆３４は、コの字状の長尺形状としたことで、前記入力端末トレー１７への上下方向への加重に対する揺動が生じない。
【００５４】
さらに、前記コの字状に形成した前記第１の固定杆３２の開口部３６、回動杆３３の開口部３８、及び第２の固定杆３４の開口部４２を同一方向に向けて組み立て加工し、これら開口部３６，３８，４２には、前記入力端末トレー１７に載置された入力機器５０から延出されている信号入出力用の信号ケーブル５１が収納配置されるようになっている。
【００５５】
このため、前記入力端末トレー１７に取付固定されている固定片３１には、信号ケーブル挿通口３１ａが設けられており、さらに、前記第１の固定杆３２と回動杆３３，及び第２の固定杆３４の開口部３６，３８，４２に信号ケーブル５１を収納配置後、カバー４６を嵌合させることで、開口部３６，３８，４２からの露出やはみ出しを防止できる。なお、図３には、図の関係から第２の固定杆３４の開口部４２へのカバー４６のみを示している。
【００５６】
次に、前記上面棚板１３の下側近傍に第１の固定杆３２と、回動杆３３，及び第２の固定杆３４によって前記架台１１の支柱１２ａに取付固定された入力端末トレー１７の引き出し収納動作について図４を用いて説明する。
【００５７】
前記入力端末トレー１７を架台１１の前面から後面側に押し込むと、入力端末トレー１７に取付固定されている第１の固定杆３２も後面側に押し込まれて、可動杆３３が回転軸３７，３９を中心に、図中反時計回りに回動する。この入力端末トレー１７の後面側への押し込みにより、第１の固定杆３２は回動杆３３に設けられている第１のストッパー４０に当接して第１の固定杆３２と回動杆３３との回動が規制停止される。さらに、回動杆３３の反時計方向の回動は、回動杆３３に設けた第２のストッパー４１が第２の固定杆３４に当接して回動が規制停止される。
【００５８】
つまり、図中実線で示すように、第１の固定杆３２と、回動杆３３を第１のストッパー４０と第２のストッパー４１で回動規制停止される位置まで前記入力端末トレー１７を架台１１の前面から後面側へと押し込み操作すると、入力端末トレー１７は、架台１１の上面棚板１３の載置領域内に収納される。
【００５９】
このような入力端末トレー１７の収納状態から入力端末トレー１７を架台１１の前面方向に引き出すと、前記回動杆３３は回転軸３７，３９を中心に図中時計方向に回動する。この入力端末トレー１７を前面方向に引き出して回動杆３３が第２の固定杆３４に設けられた第３のストッパー４３に当接して図中点線で示す回動杆３３’の位置で回動規制停止され、且つ、第１の固定杆３２’の位置で引き出し規制停止されて、図中点線で示する入力端末トレー１７Ｘの位置で停止される。
【００６０】
つまり、入力端末トレー１７を図中の矢印Ｘ方向に移動させると、実線で示す入力端末トレー１７と点線で示す入力端末トレー１７Ｘとの間で出し入れが可能となる。
【００６１】
次に、図中実線で示している入力端末トレー１７を図中左方向に回動移動させると、第１の固定杆３２と回動杆３３は回転軸３７、３９を中心に回動して、回動杆３３は、第２の固定杆３４に設けられた第３のストッパー４３に当接されて図中点線で示す回動杆３３’の位置で回動規制停止され、且つ、第１の固定杆３２は、回動杆３３’の第１ストッパー４０’の位置で回動規制停止されて、図中点線で示す入力端末トレー１７Ｙの位置で停止される。
【００６２】
つまり、入力端末トレー１７を図中の矢印Ｙ方向に移動させると、実線で示す入力端末トレー１７と点線で示す入力端末トレー１７Ｙとの間で出し入れが可能となる。
【００６３】
さらに、図中実線で示している入力端末トレー１７を図中右方向に回動移動させると、第１の固定杆３２と回動杆３３は回転軸３７、３９を中心に回動して、回動杆３３は、第２の固定杆３４に設けられた第３のストッパー４３に当接されて図中点線で示す回動杆３３’の位置で回動規制停止され、且つ、第１の固定杆３２は、図中点線で示す第１の固定杆３２”の位置まで回動されて図中点線で示す入力端末トレー１７Ｚの位置へと引き出し移動が可能となる。
【００６４】
つまり、入力端末トレー１７を図中の矢印Ｚ方向に移動させると、実線で示す入力端末トレー１７と点線で示す入力端末トレー１７Ｚとの間で出し入れが可能となる。
【００６５】
即ち、前記上面棚板１３の載置領域内に位置する実線で示す入力端末トレー１７の位置から、前記架台１１の上面棚板１３の載置領域外である点線で示す入力端末トレー１７Ｘ，１７Ｙ，１７Ｚ等の任意の位置へ引き出し可能となり、さらに、入力端末トレー１７Ｘ，１７Ｙ，１７Ｚとの間で回動も可能となり、この上面棚板１３の載置領域外に引き出した入力端末トレー１７に設けられている入力機器５０を用いて患者情報を入力することが可能となり、患者情報等の入力後は、上面棚板１３の載置領域内に収納することができる。
【００６６】
また、前記第１の固定杆３２と回動杆３３，及び第２の固定杆３４を断面コの字状としたことで、入力端末トレー１７に設けられている入力機器５０による患者情報等の入力時に加わる加重に対して、入力端末トレー１７は撓むこともなく安定した入力操作が可能となる。
【００６７】
なお、前記回動杆３３に設けられている第１のストッパー４０の第１の固定杆３２の当接側と、前記第２の固定杆３４に設けられている第３のストッパー４３の回動杆３３の当接側には、弾性部材が設けており、それぞれ第１の固定杆３２と回動杆３３が弾性的に移動規制停止されるようになっている。
【００６８】
さらに、入力端末トレー１７には、キーボード又はタッチパネルなどの入力機器５０が載置されると説明したが、キーボード又はタッチパネルなどの入力機器５０を直接第１の固定杆３２に取付固定させても良い。
【００６９】
また、前記架台１１の内視鏡ハンガー２５に図示していない内視鏡が保持されると、この内視鏡の操作部から延出されている各種信号ケーブルやライトガイドファイバー等のユニバーサルケーブル端に接続されて、前記光源機器６１やビデオプロセッサ６２に接続されるコネクタが前記架台１１の上面棚板１３に設けられたコネクタホルダー２３ａ，２３ｂに保持されると共に、内視鏡挿入部もこのコネクタホルダー２３ａ，２３ｂが設けられている側に垂れ下がり保持させる。
【００７０】
このために、内視鏡を架台１１の内視鏡ハンガー２５に保持させた際には、前記入力端末トレー１７は、上面棚板１３のコネクタホルダー２３ａ，２３ｂが設けられた側への引き出しは制限する必要がある。
【００７１】
そこで、前記コネクタホルダー２３ａ，２３ｂに図示していないユニバーサルケーブルのコネクタが取付保持されると、そのコネクタの取付保持に連動して、上面棚板１３の下面から図示していない第４のストッパーを突出させて、入力端末トレー１７の図中点線で示す入力端末トレー１７Ｚ方向への引き出しを規制するようにしても良い。
【００７２】
［付記］
以上詳述した本発明の実施形態によれば、以下のごとき構成を得ることができる。
【００７３】
（付記１）  各種医療機器を保持載置する架台手段と、
この架台手段に対して任意の方向に設置可能で、診断治療する各種情報を入力する入力装置を載置する入力装置保持手段と、
を具備することを特徴とした医療用架台装置。
【００７４】
（付記２）  前記入力装置保持手段は、前記架台手段に載置される各種医療機器の載置領域内に収納可能であることを特徴とした付記１記載の医療用架台装置。
【００７５】
（付記３）  前記入力装置保持手段は、各種情報入力部を一端に有する第１の固定杆と、前記架台手段に一端が固定された第２の固定杆と、前記第１の固定杆の他端と第２の固定杆の他端それぞれに端部が回動自在に軸止された回動杆とからなることを特徴とした付記１記載の医療用架台装置。
【００７６】
（付記４）  前記入力装置保持手段の第２の固定杆と回動杆には、前記各種情報入力部を位置決め規制する位置決めストッパーを有することを特徴とした付記３記載の医療用架台装置。
【００７７】
（付記５）  前記入力装置保持手段の第１の固定杆、回動杆、及び第２の固定杆は、断面が略コの字状の長尺体形状に形成され、その断面コの字状の内部に各種情報入力部からの信号用ケーブルを内蔵させたことを特徴とした付記３記載の医療用架台装置。
【００７８】
（付記６）  前記情報入力部は、キーボード又はタッチパネル等からなり被検体を識別するための各種情報や架台に載置されるビデオプロセッサなどの各種機器の設定情報を入力可能であることを特徴とした付記３又は５のいずれかに記載の医療用架台装置。
【００７９】
【発明の効果】
本発明の医療用架台装置は、医療診断治療行為に先立ち操作される各種情報の入力時に、診断治療室の形状や大きさ、及び医療用架台と被検体用寝台との位置関係に応じて、最も各種情報の入力操作のしやすい位置に入力手段を引き出し設置することができ、各種情報入力後は、医療用架台内部へと収納できるために、入力手段が診断治療行為を妨げることもなく、各種情報入力と診断治療行為の効率が向上する効果を有している。
【図面の簡単な説明】
【図１】本発明に係る医療用架台装置の一実施形態の全体構成を示す斜視図。
【図２】本発明に係る医療用架台装置の一実施形態の入力端末トレーの引出位置を説明する斜視図。
【図３】本発明に係る医療用架台装置の一実施形態の入力端末トレーの引き出し収納機能を説明する斜視図。
【図４】本発明に係る医療用架台装置の一実施形態の入力端末トレーの引き出し収納操作を説明する平面図。
【符号の説明】
１１…架台
１２…支柱
１３…上面棚板
１７…入力端末トレー
３１…固定片
３２…第１の固定杆
３３…回動杆
３４…第２の固定杆
３７，３９…回転軸
４０…第１のストッパー
４１…第２のストッパー
４３…第３のストッパー
【図１】
2004223153.tif 000003
【図２】
2004223153.tif 000004
【図３】
2004223153.tif 000005
【図４】
2004223153.tif 000006